(57)【特許請求の範囲】
【請求項１】
タンク本体の注油口に、軸を支点として起伏自在とした基部に設けた注油口キャップを密接すると共に、この密接状態を保持及び解除する係止手段を備えたものに於いて、前記係止手段はタンク本体側に取り付けられた係止ロットと、基部に取り付けられ該基部をタンク本体側に押し込むことで、バネに反して変位し係止ロットに係止するフック金具とで構成し、更にフック金具は一方に係止ロットと係止する係止部を備え、他方の押しボタン部を押圧してフック金具自体を回動させることで係止解除すると共に、前記押しボタン部は該押しボタン部を露呈する操作窓を形成した基部表面より凹ませて位置させるか、或いは操作窓周囲を突設させた事を特徴とするカートリッジ式給油タンク。
【発明の詳細な説明】
【０００１】
【発明の属する技術分野】
この発明は石油ストーブや石油ファンヒーター等の石油燃焼器具に用いるカートリッジ式給油タンクに関するものである。
【０００２】
【従来の技術】
従来よりこの種のものに於いては、例えば実公平５−１２６０７号公報に開示されている如く、注油口キャップを軸を支点に起伏自在とすることで、手を汚すことなくワンタッチで注油口の開閉が行えるようにしたものであった。
【０００３】
【発明が解決しようとする課題】
ところでこの従来のものでは、注油口を開口する為の係止手段の係止解除は、基部外方に突出した係止ロットの操作部をバネ力に反して引っ張ることで行っていた為、どうしても強い力が必要であり、又片手で解除するには操作部を摘む為の２本の指の他に、他の指をタンク本体に沿わせないと係止解除出来ず、更にタンク本体を倒さずに安全に解除するには、やはり解除する手の他にもう一方の手でタンク本体を支持しなければならず、指１本で容易に係止解除は出来ないと言う不具合を有するものであった。
【０００４】
【問題点を解決するための手段】
この発明はこの点に着目し上記欠点を解決する為、特にその構成を、タンク本体の注油口に、軸を支点として起伏自在とした基部に設けた注油口キャップを密接すると共に、この密接状態を保持及び解除する係止手段を備えたものに於いて、前記係止手段はタンク本体側に取り付けられた係止ロットと、基部に取り付けられ該基部をタンク本体側に押し込むことで、バネに反して変位し係止ロットに係止するフック金具とで構成し、更にフック金具は一方に係止ロットと係止する係止部を備え、他方の押しボタン部を押圧してフック金具自体を回動させることで係止解除すると共に、前記押しボタン部は該押しボタン部を露呈する操作窓を形成した基部表面より凹ませて位置させるか、或いは操作窓周囲を突設させたものである。
【０００５】
【発明の実施の形態】
基部８表面の操作窓３６に露呈する押しボタン部３７を人差し指１本で押圧すれば、フック金具３２はバネ力に反して支軸３４を支点に、押しボタン部３７が下方に又逆に係止部３５が上方に向かってやや回動するので、係止部３５の係止ロット３１との係止が解除され、基部８は弾性部材２８の反発作用で軸２５を支点に自動的に起立し、注油口３が開口され燃油の注油が行えるようになるものであり、係止ロット３１に係止したフック金具３２自体を回動することで係止解除するので、強い力が必要なく人差し指１本で係止解除出来、極めて使用勝手が良いものである。
【０００６】
【実施例】
次にこの発明に係るカートリッジ式給油タンクを図面に示された一実施例で説明する。
１は縦長状で周知の石油ストーブや石油ファンヒーター等の石油燃焼器具２に用いるカートリッジ式のタンク本体で、一壁面に螺子を形成した注油口３を突出開口している。
【０００７】
前記注油口３を設けた側の壁面で且つ注油口３の根元に板状の固定板４を接着剤等の接着手段を介して接着した後、螺子を形成し略ラッパ状の押さえ環５を注油口３に螺合し、その先端の押圧部６で押圧し固定板４を固定し、更にこの時押さえ環５の後端は注油口３の先端より高さを低くしている。
【０００８】
７は固定板４に支持される基部８のほぼ中央より突設した逆凹状の注油口キャップで、該注油口キャップ７の外径は注油口３及び押さえ環５の外径より大と成し、且つその高さは注油口３より低くしている。
【０００９】
９は燃油を落差で供給する給油装置で、注油口キャップ７内中央にカシメられて取り付けられ、開閉弁１０と心棒１１と該開閉弁１０を常に弾設するスプリング１２と連通口１３を有した弁ケース１４とから構成されている。
【００１０】
１５は注油口キャップ７の内面に取り付けられる耐油性で筒状のパッキンで、上下端には外方に延びたテーパー部１６・１７が設けられ、更にこのテーパー部１６・１７間にはパッキン１５の伸縮をガイドする金属製のガイド筒１８と、パッキン１５の抜けを複数のダボ１９との係止で防止する合成樹脂製のパッキン支持筒２０とを間にコイル状のスプリング２１を介在させて備えている。
【００１１】
前記パッキン１５の両テーパー部１６・１７内端には、注油口キャップ７内面と密接する上舌状部２２と、閉蓋時注油口３上端と密接する下舌状部２３とが設けられ、この上舌状部２２は先端部をあまり突出させず巻き込みを防止しながら受圧面積を広くする為に、根元部を内方にく字状に切欠いて形成している。
【００１２】
又パッキン１５のほぼ中央部には、パッキン１５の伸縮を吸収する内方に突出した伸縮吸収部２４が形成され、この突部の深さはパッキン１５の肉厚の２倍以内として、収縮力を抑え上・下舌状部２２・２３のシール性を良好としている。
【００１３】
前記基部８はその周縁を下方に屈曲させると共に、一方は軸２５を支持するカーリング状の支持部２６を設け、対応する固定板４の端部にも軸２５を支持するカーリング状の支持部２７を設け、更に各支持部２６・２７のいずれか一方の内径は他の内径より大径として遊びを持たせている。
【００１４】
又前記軸２５には基部８をタンク本体１の反対方向に持ち上げるように作用する弾性部材２８が設けられ、基部８全体が軸２５を支点にして注油口キャップ７が注油口３を覆い、パッキン１５に密接するよう起伏自在に成す。
【００１５】
２９は注油口３と注油口キャップ７との密接状態の係止及び係止解除を行う係止手段で、固定板４から切り起こされた１対の支持片３０に固定された係止ロット３１と、基部８側で係止ロット３１と対向する位置に備えられたＬ字状のフック金具３２とで構成されている。
【００１６】
前記フック金具３２は基部８より切り起こされた１対の軸支片３３に挿通する支軸３４で、Ｌ字状の中間部を軸支することで回動自在に取り付けられ、一方下部には係止ロット３１に係止するカギ形の溝で形成された係止部３５を備え、他方上面には平板状で基部８に開口された操作窓３６に露呈する押しボタン部３７が形成され、更に支軸３４には係止部３５側を係止ロット３１との係止側に常に引っ張ると共に、逆の押しボタン部３７側を基部８の操作窓３６側に押し上げる方向に力を作用させるバネ３８が備えられている。
【００１７】
基部８を注油口３側に押して行くと、フック金具３２の下端が係止ロット３１に当接し、更に押し込むことでフック金具３２がバネ３８に反して係止ロット３１とは反対側にやや回動することで、フック金具３２下端が係止ロット３１を乗り越えて係止部３５が該係止ロット３１に係止するものであり、又この状態で操作窓３６に露呈している押しボタン部３７をバネ３８に反してタンク本体１側に押し込むことで、フック金具３２が回動して係止部３５と係止ロット３１との係止が解除されるものである。
【００１８】
更に押しボタン部３７は基部８表面の操作窓３６には、一段下がった状態でやや凹んで露呈され、基部８表面とは同一面上としないことで、表面が物にぶつかることで不用意に押しボタン部３７が押され、係止が解除されて注油口３が開口し燃油がこぼれることを防止するものである。
【００１９】
又これに限らず、図９に示す如く押しボタン部３７を基部８表面と一致させて同一面上とした場合には、操作窓３６周辺に突部３９を形成して、表面に物があたっても押しボタン部３７を保護する構成とすれば、同じ効果が得られるものである。
【００２０】
４０は石油燃焼器具２の一側方に設けたタンク室で、下方には油受皿４１を位置させ、そのほぼ中央より押上ピン４２を立設し、タンク本体１を倒立して載置させ、燃焼に必要な燃油を供給し燃焼筒４３で燃焼させる。
【００２１】
次にタンク本体１に燃油を注油する場合は、注油口キャップ７側を上にした状態で床に置き、この状態で図２に示された如く、基部８表面の操作窓３６に露呈する押しボタン部３７を人差し指１本で押圧すれば、図３、４に示すように、フック金具３２はバネ３８に反して支軸３４を支点に、押しボタン部３７が下方に又係止部３５が上方に向かってやや回動するので、係止部３５は係止ロット３１との係止が解除され、基部８は弾性部材２８の反発作用で軸２５を支点として自動的に起立し、図１のように注油口キャップ７は注油口３を開口しこの状態で、ホースポンプ等で燃油の注油を行えば良いものである。
【００２２】
従って、係止手段２９のフック金具３２自体を回動することで係止解除されるので、係止解除には弱い力であるフック金具３２に作用するバネ３８に反する力のみで良く、誰でも容易に手を汚すことなく注油口３を開口することが出来るものであり、又人差し指１本で解除出来、指を痛めることもなく極めて簡単に行えるものである。
【００２３】
一方注油後は、基部８を手で弾性部材２８に反して注油口３側に押し込めば、フック金具３２の下端が係止ロット３１に当接し、バネ３８のバネ力に反してやや回動して係止ロット３１を乗り越えることで、係止部３５が係止ロット３１に係止し、「パチン」と言う音と共に基部８が固定板４に係止され、注油口３と注油口キャップ７が密接状態となるものである。
【００２４】
従って注油口３の開閉共に手或いは指１本で軽く、手を油で汚すことなくワンタッチで行えるものである。
【００２５】
更に押しボタン部３７は操作窓３６に凹んだ状態で露呈されているので、基部８表面が物にぶつかっても、これによって押し込まれて係止が解除され、不用意に燃油がこぼれることが防止されるものであり、又押しボタン部３７を基部８表面と同一表面とした場合には、図９に示す如く、操作窓３６周囲に突部３９を設けることで、、同様な効果が得られるものである。
【００２６】
【発明の効果】
以上にようにこの発明によれば、係止手段のフック金具自体を回動することで係止解除されるので、係止解除には弱い力であるフック金具に作用するバネに反する力のみで良く、誰でも容易に手を汚すことなく注油口を開口することが出来るものであり、又人差し指１本で解除出来、指を痛めることもなく極めて簡単に行えるものである。
一方注油後は、基部を手で注油口側に押し込めば、フック金具の下端が係止ロットに当接し、バネのバネ力に反してやや回動して係止ロットを乗り越えることで、係止部が係止ロットに係止し、「パチン」と言う音と共に注油口と注油口キャップが密接状態となる。
更に手を油で汚すことなくワンタッチでタンク本体への注油が行えることは勿論、指１本で注油口の開口が行え、力もいらず誰でも容易に注油口の開閉が可能で、極めて使用勝手が良いものである。
更にフック金具を回動させる押しボタン部は操作窓に凹んだ状態で露呈されているか、或いは操作窓周囲を突設させているので、基部表面が物にぶつかっても、これによって押し込まれて係止が解除され、不用意に燃油がこぼれることが防止されるものであり、安全であり常に安心して使用出来るものである。
【図面の簡単な説明】
【図１】この発明の一実施例を付したタンク本体の開蓋状態の要部斜視図。
【図２】同閉蓋状態の要部斜視図。
【図３】同開蓋の為の係止解除初期状態を示す要部説明図。
【図４】同開蓋の為の係止解除終期状態を示す要部説明図。
【図５】同器具内にタンク本体をセットした状態の要部断面図。
【図６】同注油口キャップの断面図。
【図７】同閉蓋状態の注油口キャップの断面図。
【図８】同一部を切欠いた石油燃焼器具の正面図。
【図９】他の実施例を示す閉蓋状態の要部斜視図。
【符号の説明】
１  タンク本体
３  注油口
４  固定板
７  注油口キャップ
８  基部
２５  軸
２９  係止手段
３１  係止ロット
３２  フック金具
３４  支軸
３５  係止部
３６  操作窓
３７  押しボタン部
３８  バネ
３９  突部
【図１】
0003588012.tif 000002
【図２】
0003588012.tif 000003
【図３】
0003588012.tif 000004
【図４】
0003588012.tif 000005
【図５】
0003588012.tif 000006
【図６】
0003588012.tif 000007
【図７】
0003588012.tif 000008
【図８】
0003588012.tif 000009
【図９】
0003588012.tif 000010